(57)【要約】【課題】使用者が物理的な破壊作業を行わなくてもデータの記録が一度だけ可能な情報記録媒体に記録されたデータを再生不可能にする。【解決手段】ＣＰＵ９は、データ再生不可能化処理を施す光ディスク１２がセットされ、データ再生不可能化処理が指示されると、再生時の発光量でレーザ光を光ディスク１２に照射して、光ディスク１２のトラック情報記憶領域のトラック情報を再生し、そのトラック情報からデータが記録された領域を検出し、レーザ制御部５によって光ピックアップ４のＬＤにデータを記録する発光量をセットし、スピンドルモータ２によって光ディスク１２を回転させながらアクチュエータ６によって光ピックアップ４を移動させて光ディスク１２のデータが記録された領域に対してデータ記録時の強いレーザ光を照射する。【選択図】　　　図１
2004071028.tif 000002
【特許請求の範囲】
【請求項１】
データの記録が一度だけ可能な情報記録媒体のデータが記録された領域に対してデータを記録する発光量のレーザ光を照射する手段を備えたことを特徴とする情報記録装置。
【請求項２】
データの記録が一度だけ可能な情報記録媒体のトラック情報記憶領域に対してデータを記録する発光量のレーザ光を照射する手段を備えたことを特徴とする情報記録装置。
【請求項３】
データの記録が一度だけ可能な情報記録媒体のデータが記録された領域に対してデータを記録する発光量のレーザ光を所定の間隔を置いて断続的に照射する手段を備えたことを特徴とする情報記録装置。
【請求項４】
外部に接続されたコンピュータから受信した命令によって指定されたデータの記録が一度だけ可能な情報記録媒体の領域に対してデータを記録する発光量のレーザ光を照射する手段を備えたことを特徴とする情報記録装置。
【発明の詳細な説明】
【０００１】
【発明の属する技術分野】
この発明は、データの記録が一度だけ可能な情報記録媒体であるＣＤ−Ｒディスク，ＤＶＤ−Ｒディスク，ＤＶＤ＋Ｒディスクなどの情報記録媒体にデータを記録するＣＤ−Ｒドライブ装置，ＤＶＤ−Ｒドライブ装置，ＤＶＤ＋Ｒドライブ装置等の情報記録装置に関する。
【０００２】
【従来の技術】
データの記録が一度だけ可能なＣＤ−Ｒディスク，ＤＶＤ−Ｒディスク，ＤＶＤ＋Ｒディスクなどの情報記録媒体（「ライトワンス（Ｗｒｉｔｅ　Ｏｎｃｅ）型光ディスク」と称する）にデータを書き込む装置として、ＣＤ−Ｒドライブ装置，ＤＶＤ−Ｒドライブ装置，ＤＶＤ＋Ｒドライブ装置等の情報記録装置（例えば、特開平４−３４６１６号公報参照）がある。
【０００３】
このような情報記録装置は、上記のようなライトワンス型光ディスクの各種の有機色素で形成された記録面に半導体レーザ光源で発生させた強いレーザ光線（レーザ光）を照射し、そのレーザ光で色素を化学的に変化させて周囲とは反射率が異なる部分を生成し、その化学変化させた部分を“１”とし、化学変化させない部分を“０”とするという原理でデータ記録を行う。その化学変化は非可逆なので、通常一度書いたデータは消したり書き直すことは出来ず、一度データが記録された領域には書き込みを禁止しているので、データの保護性が高いという利点がある。したがって、ライトワンス型光ディスクは記録されたデータの安定性，耐久性が高いという特性が評価されて広く利用されている。また、ライトワンス型光ディスクが安価になって使用者の保有するディスク枚数も増えている。
【０００４】
【発明が解決しようとする課題】
しかしながら、使用者の保有するライトワンス型光ディスクの枚数が増えるにつれて、廃棄されるディスク枚数も増えてきており、その廃棄されるライトワンス型光ディスクに機密とすべき情報が記録されている場合、情報の漏洩を防ぐためにディスクに記録された情報を再生不可能な状態にするため、使用者が光ディスクの記録面に傷をつけたり、光ディスクを折ったり切ったりする等の物理的に破損させるという煩雑な作業を行わなければならないという問題があった。
この発明は上記の課題を解決するためになされたものであり、使用者が物理的な破壊作業を行わなくてもデータの記録が一度だけ可能な情報記録媒体に記録されたデータを再生不可能にすることを目的とする。
【０００５】
【課題を解決するための手段】
この発明は上記の目的を達成するため、データの記録が一度だけ可能な情報記録媒体のデータが記録された領域に対してデータを記録する発光量のレーザ光を照射する手段を備えた情報記録装置を提供する。
また、データの記録が一度だけ可能な情報記録媒体のトラック情報記憶領域に対してデータを記録する発光量のレーザ光を照射する手段を備えた情報記録装置も提供する。
【０００６】
さらに、データの記録が一度だけ可能な情報記録媒体のデータが記録された領域に対してデータを記録する発光量のレーザ光を所定の間隔を置いて断続的に照射する手段を備えた情報記録装置を提供する。
さらにまた、外部に接続されたコンピュータから受信した命令によって指定されたデータの記録が一度だけ可能な情報記録媒体の領域に対してデータを記録する発光量のレーザ光を照射する手段を備えた情報記録装置も提供する。
【０００７】
【発明の実施の形態】
以下、この発明の実施形態を図面に基づいて具体的に説明する。
図１は、この発明の情報記録装置の一実施形態である光ディスク装置の構成を示すブロック図である。
この光ディスク装置１は、ＣＤ−Ｒドライブ装置，ＤＶＤ−Ｒドライブ装置，ＤＶＤ＋Ｒドライブ装置等のライトワンス型光ディスクドライブ装置である。
光ディスク１２は、データの記録が一度だけ可能なＣＤ−Ｒディスク，ＤＶＤ−Ｒディスク，ＤＶＤ＋Ｒディスク等のライトワンス型光ディスク記録媒体である。スピンドルモータ２は、中央処理装置（中央制御装置）９によって制御されるスピンドル制御部３によって回転制御され、データ記録再生時に所定の回転速度で光ディスク１２を回転させる。
【０００８】
光ピックアップ４は、光ディスク１２対するデータの記録・再生時に照射するレーザ光を発生させる半導体レーザ光源のレーザダイオード（ＬＤ）を有する。レーザ制御部（レーザ駆動部）５は、中央処理装置９によって制御され、光ピックアップ４のＬＤを駆動し、ＬＤから発光させたレーザ光を光ディスク１２に照射する。アクチュエータ６は、中央処理装置９によって制御されるアクチュエータ制御部７によって駆動されて、光ピックアップ４を移動することにより、光ディスク１２の所定の位置へレーザ光を照射することを可能とする。信号検出部８は、光ピックアップ４からの信号を検出して中央処理装置９へ出力する。中央処理装置（ＣＰＵ）９は、この光ディスク装置１の全体の制御を行う。
【０００９】
メモリ１０は、ＣＰＵ９がこの光ディスク装置１の全体の制御を行うためのプログラムと、その制御の際のパラメータとの記憶領域及び作業領域として使用するＲＡＭ等の記憶手段である。外部インターフェイス１１は、外部の上位装置１３と各種のコマンド，データ等の送受信を行うために使用される。上位装置１３は、ＣＰＵ，ＲＯＭ及びＲＡＭ等からなるマイクロコンピュータによって実現される制御部を備えた光ディスク装置１を制御するパーソナルコンピュータ等の情報処理装置である。
【００１０】
この光ディスク装置１は、例えば、ＣＤ−Ｒドライブ装置の場合、ＣＤ−Ｒディスクの各種の有機色素で形成された記録面にＬＤで発生させたデータ記録時の発光量（発光パワー）のレーザ光（強いレーザ光）を照射し、そのレーザ光で色素を化学的に変化させて周囲とは反射率が異なる部分を生成し、その化学変化させた部分（ピット）を“１”とし、化学変化させない部分（ランド）を“０”としてデータ記録を行う。その化学変化は非可逆なので、通常一度書いたデータは消したり書き直すことはできない。一方、記録されたデータを再生する場合は、ＬＤから再生時の発光量のレーザ光（弱いレーザ光）を照射し、その反射率の違いからデータを読み取る。このときはレーザ光線は充分弱いので記録面への化学変化は発生しない。
【００１１】
ＣＤ−Ｒディスクの構造は、基本的にポリカーボネート基板，有機色素，反射層，オーバーコート（トップコート）の４層からなる。なお、さらに上に保護層を追加したものもある。上記有機色素は、例えば、屈折率１．５９の基板と７８０ｎｍのレーザに対応した波長領域において、反射率がもっとも大きくなるような光学定数（屈折率，消すい係数）を有し、例えば、シアニン系色素，フタロシアニン系色素等がある。各色素の種類によって、光に対する応答スピードが微妙に異なっており、ＣＤ−Ｒディスクにレーザ光を照射した際に生じるマークの形状やエッジの立ち上がり又は立ち下がり方が異なる。
【００１２】
そのような有機色素の記録面に強いレーザ光を照射すると、その部分の温度が上昇し、色素が溶融して分解されることになる。そしてそのとき、その影響はポリカーボネート基板にも及ぶことになり、基板に変形をもたらす。このように、有機色素の物理的な変化ばかりでなく基板も変形させて相乗効果でピットとランドを形成して所定の反射率変化（例えば６０％以上の反射率変化）である変調度を得るようにしている。
【００１３】
この光ディスク装置１は、上記メモリ１０に、コンピュータにデータの記録が一度だけ可能な情報記録媒体の記録領域に対してデータを記録する発光量のレーザ光を照射する手順を実行させるためのプログラム、コンピュータにデータの記録が一度だけ可能な情報記録媒体のデータが記録された領域に対してデータを記録する発光量のレーザ光を照射する手順を実行させるためのプログラム、コンピュータにデータの記録が一度だけ可能な情報記録媒体のトラック情報記憶領域に対してデータを記録する発光量のレーザ光を照射する手順を実行させるためのプログラム、コンピュータにデータの記録が一度だけ可能な情報記録媒体のデータが記録された領域に対してデータを記録する発光量のレーザ光を所定の間隔を置いて断続的に照射する手順を実行させるためのプログラム、コンピュータにデータの記録が一度だけ可能な情報記録媒体のデータが記録された領域に対して所定の間隔を高速にシークして断続的にデータを記録する発光量のレーザ光を照射する手順を実行させるためのプログラム、又はコンピュータに外部に接続されたコンピュータから受信した命令によって指定されたデータの記録が一度だけ可能な情報記録媒体の領域に対してデータを記録する発光量のレーザ光を照射する手順を実行させるためのプログラムを格納する。
【００１４】
そして、上記ＣＰＵ９が上記メモリ１０の各プログラムを実行することによって、データの記録が一度だけ可能な情報記録媒体の記録領域に対してデータを記録する発光量のレーザ光を照射する方法、データの記録が一度だけ可能な情報記録媒体のデータが記録された領域に対してデータを記録する発光量のレーザ光を照射する方法、データの記録が一度だけ可能な情報記録媒体のトラック情報記憶領域に対してデータを記録する発光量のレーザ光を照射する方法、データの記録が一度だけ可能な情報記録媒体のデータが記録された領域に対してデータを記録する発光量のレーザ光を所定の間隔を置いて断続的に照射する方法、データの記録が一度だけ可能な情報記録媒体のデータが記録された領域に対して所定の間隔を高速にシークして断続的にデータを記録する発光量のレーザ光を照射する方法、又は外部に接続されたコンピュータから受信した命令によって指定されたデータの記録が一度だけ可能な情報記録媒体の領域に対してデータを記録する発光量のレーザ光を照射する方法を実施する。
【００１５】
したがって、上記ＣＰＵ９が、データの記録が一度だけ可能な情報記録媒体の記録領域に対してデータを記録する発光量のレーザ光を照射する手段、データの記録が一度だけ可能な情報記録媒体のデータが記録された領域に対してデータを記録する発光量のレーザ光を照射する手段、データの記録が一度だけ可能な情報記録媒体のトラック情報記憶領域に対してデータを記録する発光量のレーザ光を照射する手段、データの記録が一度だけ可能な情報記録媒体のデータが記録された領域に対してデータを記録する発光量のレーザ光を所定の間隔を置いて断続的に照射する手段、コンピュータにデータの記録が一度だけ可能な情報記録媒体のデータが記録された領域に対して所定の間隔を高速にシークして断続的にデータを記録する発光量のレーザ光を照射する手段、又は外部に接続されたコンピュータから受信した命令によって指定されたデータの記録が一度だけ可能な情報記録媒体の領域に対してデータを記録する発光量のレーザ光を照射する手段の機能を果たす。
【００１６】
次に、この光ディスク装置１におけるデータ再生不可能化処理について説明する。
（１）光ディスク１２の記録面の全面に対してデータを記録する発光量のレーザ光を照射するデータ再生不可能化処理
ＣＰＵ９は、データ再生不可能化処理を施す光ディスク１２がセットされ、光ディスク装置１上の所定のボタンの入力操作あるいは上位装置１３からの命令の受信によってデータ再生不可能化処理が指示されると、レーザ制御部５によって光ピックアップ４のＬＤにデータを記録する発光量をセットし、スピンドルモータ２によって光ディスク１２を回転させながらアクチュエータ６によって光ピックアップ４を移動させて光ディスク１２の記録面の先頭から後尾までデータを記録する発光量の強いレーザ光を照射する。
【００１７】
その発光量は、光ディスクの記録面にピットを形成するためのパワー量であり、例えば、ＣＤ−Ｒディスクの場合、有機色素を変化させて基板を変形させるためのパワー量である。また、光ディスクの種類（有機色素やメーカ）毎に記録時のレーザ光の発光量を切り替えるようにすれば、データの上書きが不完全で再生可能になるミスを防ぐことができる。
このようにして、光ディスク１２の記録面の全面にデータ記録時のレーザ光を照射して、記録領域において化学変化されていなかった部分に対しても化学的変化を発生させる。したがって、再生する際には元に記録されていたデータの化学変化と後から発生させた化学変化とは同等に扱われて判別出来なくなるので、両者が混ざった意味の無いデータになり、元のデータの再生を不可能にすることができ、データ漏洩を防止することができる。
【００１８】
（２）光ディスク１２のデータが記録された領域に対してデータを記録する発光量のレーザ光を照射するデータ再生不可能化処理
上述の処理では、光ディスク１２の全面にレーザ光を照射するために処理時間がかかるので、データが記録された領域にのみレーザ光を照射して全てのデータを破壊することにより、全てのデータの読み取りを確実に不可能にすると共に、処理時間の短縮を図るとよい。
【００１９】
ＣＰＵ９は、データ再生不可能化処理を施す光ディスク１２がセットされ、光ディスク装置１上の所定のボタンの入力操作あるいは上位装置１３からの命令の受信によってデータ再生不可能化処理が指示されると、再生時の発光量でレーザ光を光ディスク１２に照射して、光ディスク１２のトラック情報記憶領域のトラック情報を再生し、そのトラック情報に基づいてデータが記録された領域を検出し、レーザ制御部５によって光ピックアップ４のＬＤにデータを記録する発光量をセットし、スピンドルモータ２によって光ディスク１２を回転させながらアクチュエータ６によって光ピックアップ４を移動させて光ディスク１２のデータが記録された領域に対してデータ記録時の強いレーザ光を照射する。
【００２０】
このようにして、光ディスク１２のデータが記録された領域にのみデータ記録時のレーザ光を照射して、データが記録された領域において化学変化されていなかった部分に対しても化学的変化を発生させることにより、元に記録されていたデータの化学変化と後から発生させた化学変化との両者が混ざった意味の無いデータにして元のデータを再生することを不可能にすることができる。また、データが記録された領域にのみ処理を施すので、データ再生不可能化処理にかかる時間を短縮することができる。
【００２１】
（３）光ディスク１２のトラック情報記憶領域に対してデータを記録する発光量のレーザ光を照射するデータ再生不可能化処理
通常の光ディスク装置では、光ディスク１２のトラック情報が再生できないと、光ディスク上のデータを再生できない。例えば、通常のＣＤ−Ｒ再生装置等の光ディスク装置では、目次情報（Ｔａｂｌｅ　Ｏｆ　Ｃｏｎｔｅｎｔ：ＴＯＣ）が存在しない光ディスクのデータを再生することはできない。そこで、光ディスク１２のトラック情報記憶領域のデータを再生できないようにして、光ディスク１２に記録されたデータの再生を不可能にするようにしてもよい。
【００２２】
ＣＰＵ９は、データ再生不可能化処理を施す光ディスク１２がセットされ、光ディスク装置１上の所定のボタンの入力操作あるいは上位装置１３からの命令の受信によってデータ再生不可能化処理が指示されると、レーザ制御部５によって光ピックアップ４のＬＤにデータを記録する発光量をセットし、スピンドルモータ２によって光ディスク１２を回転させながらアクチュエータ６によって光ピックアップ４を移動させて光ディスク１２のトラック情報領域（例えば、ＣＤ−Ｒディスクの場合はＴＯＣ領域）にデータ記録時の強いレーザ光を照射する。
【００２３】
このようにして、トラック情報記憶領域の容量（例えば、ディスク全体の容量が６５０〜７００ＭＢのＣＤ−ＲディスクのＴＯＣの容量は３０ＭＢ以下）は小さいので、１枚の光ディスクに対するデータ再生不可能化処理を短時間で済ませることができる。
したがって、データが記録された領域よりも容量の少ないトラック情報記憶領域にのみレーザ光を照射すればよいので、短時間でデータ再生を不可能にすることができる。また、光ディスク装置が長時間使用出来なくなるという不都合も生じさせずに済む。
【００２４】
（４）光ディスク１２のデータが記録された領域に対してデータを記録する発光量のレーザ光を所定の間隔を置いて断続的に照射するデータ再生不可能化処理
光ディスク１２のトラック情報記憶領域のデータを破壊しても、光ディスク１２のトラック情報を読まずにデータ領域の情報のみで再生を行えばデータの再生が可能となってしまうので、光ディスク１２のデータが記録された領域に対するレーザ光の照射を間引きすることにより、元のデータを破壊すると共にレーザ光を照射する処理時間の短縮を図るとよい。
【００２５】
ＣＰＵ９は、データ再生不可能化処理を施す光ディスク１２がセットされ、光ディスク装置１上の所定のボタンの入力操作あるいは上位装置１３からの命令の受信によってデータ再生不可能化処理が指示されると、再生時の発光量でレーザ光を光ディスク１２に照射して、光ディスク１２のトラック情報記憶領域のトラック情報を再生し、そのトラック情報に基づいてデータが記録された領域を検出し、レーザ制御部５によって光ピックアップ４のＬＤにデータを記録する発光量をセットし、スピンドルモータ２によって光ディスク１２を回転させながらアクチュエータ６によって光ピックアップ４を移動させて光ディスク１２のデータが記録された領域の先頭から後尾まで予め決められた所定の間隔を置いて断続的にデータ記録時の強いレーザ光を照射する。
【００２６】
上記所定の間隔は、記録時の発光量でレーザ光を照射する間隔（時間間隔，距離間隔）とレーザ光を照射しない間隔とは一定にしてもランダムにしてもよいが、予め実験によって元のデータを再生しても無意味なデータにするだけのデータ記録間隔を求めて設定するとなおよい。
さらに、アクチュエータ６を制御してレーザ光を照射する箇所間を高速にシークして移動させるようにすれば、処理時間をより短縮することができる。
このようにして、データが記録された領域を断続的にデータ消去するので、記録された領域すべてに対してレーザ光を照射するのに比較して、短時間でデータを完全な形で再生することを不可能にして元のデータを再生できないようにすることができる。また、レーザ光線を照射する箇所間は高速にシークして移動するようにすれば、処理時間をさらに短縮することができる。
【００２７】
（５）上位装置１３から受信した命令によって指定された光ディスク１２の領域に対してデータを記録する発光量のレーザ光を照射するデータ再生不可能化処理図２は、上位装置１３からの指示に基づいて光ディスク１２に施すデータ再生不可能化処理を示すフローチャート図である。
ＣＰＵ９は、ステップ（図中「Ｓ」で示す）１で上位装置１３から外部インターフェイス１１を介して命令（コマンド）を受信したか否かを判断し、上位装置１３から命令を受信したらステップ２で光ディスク装置１に対してデータ再生不可能化処理を命令する上書き命令か否かを判断し、上書き命令でなければステップ７でその他の命令に対応する処理を実施する。
【００２８】
上位装置１３から与えられる命令は複数の種類があるので、その命令の種類に応じたコマンド処理を実行する。
ステップ２の判断で上書き命令ならば、ステップ３で上書き命令で指示されたアドレス（光ディスク上の領域の先頭位置）へ光ピックアップを移動させ、ステップ４で光ディスクにデータを記録する発光量のレーザ光を照射し、ステップ５で上書き命令に基づく上書き区間が終了したか否かを判断し、終了したらステップ６でレーザ光の照射を終了して、この処理を終了する。
【００２９】
図３は、上位装置１３が発行する上書き命令のフォーマットを示す説明図である。この上書き命令は、光ディスク１２の指定した領域にデータ記録時の発光量のレーザ光を照射する命令であり、指定された領域にデータが記録されているかいないかに関係無く実施させる。
オペレーショナル・コード（Ｏｐｅｒａｔｉｏｎａｌ　Ｃｏｄｅ）は各命令毎に割り当てられた固有のコードであり、上書き命令も固有のコードを持つ。ＣＰＵ９は、このコードによって命令の種類を判別する。
ロジカル・ブロック・アドレス（Ｌｏｇｉｃａｌ　Ｂｌｏｃｋ　Ａｄｄｒｅｓｓ）は領域の先頭位置を示す。
レングス（Ｌｅｎｇｔｈ）は、指定された領域の長さをセクタ数で示す。
【００３０】
ＣＰＵ９は、上位装置１３から上書き命令を受信すると、その上書き命令で指定されたアドレス（領域の先頭位置）へ光ピックアップ４を移動し、移動が完了したらデータ記録時の発光量のレーザ光の照射を開始し、同時に光ピックアップ４の位置を信号検出部８を通して検出し、光ピックアップ４が指定した領域の後端に到達したか否かを継続的に監視し、上書き区間が終了したか否かを判断する。光ピックアップ４が指定した領域の後端に到達し、上書き区間が終了したと判断したらレーザ光の照射を終了する。
【００３１】
上書き命令において、ロジカル・ブロック・アドレスに記録面の先頭アドレスが設定され、レングスに記録面の領域長が設定されていれば、ＣＰＵ９は、光ディスク１２の全面に渡ってデータ記録の発光量のレーザ光を照射してデータを破壊する。
また、上書き命令において、ロジカル・ブロック・アドレスにデータが記録されたデータ領域の先頭アドレスが設定され、レングスにデータ領域の長さが設定されていれば、ＣＰＵ９は、光ディスク１２のデータ領域のすべてに渡ってデータ記録の発光量のレーザ光を照射してデータを破壊する。
【００３２】
さらに、上書き命令において、ロジカル・ブロック・アドレスにトラック情報記憶領域の先頭アドレスが設定され、レングスにトラック情報記憶領域の長さが設定されていれば、ＣＰＵ９は、光ディスク１２のトラック情報記憶領域内にデータ記録の発光量のレーザ光を照射してデータを破壊する。
例えば、光ディスク１２がＣＤ−Ｒディスクの場合、上書き命令において、ロジカル・ブロック・アドレスにＴＯＣ領域の先頭アドレスが設定され、レングスにＴＯＣ領域の長さが設定されていれば、ＴＯＣ領域内のすべてに渡ってデータ記録の発光量のレーザ光を照射してＴＯＣ領域内の情報を破壊する。このＴＯＣ領域の容量（ディスク全体の容量が６５０〜７００ＭＢであり、ＴＯＣ領域の容量は３０ＭＢ以下）は小さいので、短時間で処理できる。
【００３３】
さらにまた、上位装置１３から複数回の上書き命令を連続的に送出し、その各上書き命令のロジカル・ブロック・アドレスに、それぞれデータ領域の先頭アドレスから所定の間隔の位置を次々と設定し、各レングスには上記所定の間隔よりも充分短い長さを設定すれば、光ディスク装置１のＣＰＵ９は、各上書き命令に基づいて光ディスク１２のデータ記録領域に対してデータを記録する発光量のレーザ光を所定の間隔を置いて断続的に照射してデータを破壊する。
このようにして、上位装置１３からの指示で光ディスク装置１は光ディスク１２に対してデータ記録時のレーザ光を照射して、データの再生を不可能にすることができる。
【００３４】
なお、上述の実施形態では、情報記録装置としてＣＤ−Ｒドライブ装置について詳しく説明したが、その他のＤＶＤ−Ｒドライブ装置，ＤＶＤ＋Ｒドライブ装置においても上述と同様に実施することができ、それぞれＤＶＤ−Ｒディスク，ＤＶＤ＋Ｒディスクにデータ再生不可能化処理を施すことができる。
また、上述の実施形態では、この発明をＣＤ−Ｒドライブ装置，ＤＶＤ−Ｒドライブ装置，ＤＶＤ＋Ｒドライブ装置等の情報記録装置に適用した場合について説明したが、光ディスクに対してデータ再生不可能化処理を施す専用の情報記録装置としても実施することができる。
【００３５】
【発明の効果】
以上説明してきたように、この発明の情報記録装置によれば、使用者が物理的な破壊作業を行わなくてもデータの記録が一度だけ可能な情報記録媒体に記録されたデータを再生不可能にすることができる。
【図面の簡単な説明】
【図１】この発明の情報記録装置の一実施形態である光ディスク装置の構成を示すブロック図である。
【図２】図１に示す上位装置１３からの指示に基づいて光ディスク１２に施すデータ再生不可能化処理を示すフローチャート図である。
【図３】図１に示す上位装置１３が発行する上書き命令のフォーマットを示す説明図である。
【符号の説明】
１：光ディスク装置　　　　２：スピンドルモータ
３：スピンドル制御部　　　４：光ピックアップ
５：レーザ制御部　　　　　６：アクチュエータ
７：アクチュエータ制御部　８：信号検出部
９：中央処理装置　　　　　１０：メモリ
１１：外部インターフェイス
１２：光ディスク　　　　　１３：上位装置
【図１】
2004071028.tif 000003
【図２】
2004071028.tif 000004
【図３】
2004071028.tif 000005